(57)【要約】【課題】出火に際して円滑に閉扉できる常開防火扉を提供する。【解決手段】この常開防火扉１０は、減圧用開口１２と、減圧用開口１２を閉じるように取り付けられ、常開防火扉の枢軸（第１軸線）Ｃに平行な第２軸線Ｄの周りで回動可能とされた減圧用扉１４と、減圧用扉１４を閉扉位置とする減圧用扉クローザ３１とを有する。第２軸線Ｄは、常開防火扉１０が第１軸線Ｃを中心に枢動して閉扉するときに閉扉の動きに伴い減圧用扉１４に生じる第２軸線Ｄの周りでの所定値以上の回転モーメントにより減圧用扉１４が減圧用扉クローザ３１の付勢力に抗して回動し該減圧用開口を開放する位置とされている。常開防火扉１０が閉扉位置に停止すると、減圧用扉３１は減圧用扉クローザ３１により閉扉される。【選択図】図２
2018007889.tif 000002
【特許請求の範囲】
【請求項１】
火災発生時に、一側縁に沿って垂直方向に延びる第１軸線を中心に枢動して閉扉する常開防火扉であって、
該防火扉の表面から裏面に貫通する減圧用開口と、
該減圧用開口を閉じるように取り付けられ、該第１軸線に略平行に延びる第２軸線の周りで回動して該減圧用開口を開放可能とされている減圧用扉と、
該減圧用扉を、該第２軸線の周りで付勢して該減圧用開口を閉じる閉扉位置とする減圧用扉クローザと、
を有しており、
該第２軸線は、出火時に該常開防火扉が該第１軸線を中心に枢動して閉扉するときに該閉扉の動きに伴い該減圧用扉に生じる該第２軸線の周りでの所定値以上の回転モーメントにより該減圧用扉が該減圧用扉クローザの付勢力に抗して回動し該減圧用開口を開放する位置とされている常開防火扉。
【請求項２】
該第２軸線が該減圧用扉の幅方向の中央位置とされている請求項１に記載の常開防火扉。
【請求項３】
該第２軸線が該減圧用扉の幅方向中央位置よりも該第１軸線から離れた位置とされている請求項１に記載の常開防火扉。
【請求項４】
該減圧用扉の上縁及び下縁と該減圧用開口の対応する上縁及び下縁との間に該第２軸線に沿って延びるヒンジピンを有し、該ヒンジピンの周りでの該減圧用扉の回動を可能とする上部ヒンジ装置及び下部ヒンジ装置を有する請求項１乃至３のいずれか一項に記載の常開防火扉。
【請求項５】
該減圧用扉クローザは該ヒンジピンの周りに同軸状に設定されて該減圧用扉の開扉動作に伴って巻き締められるようになされたコイルバネを有する請求項４に記載の常開防火扉。
【請求項６】
該上部ヒンジ装置および該下部ヒンジ装置の少なくとも一方は、該第２軸線に沿って上下関係で配置されて該ヒンジピンを収納し、それぞれ該常開防火扉及び該減圧用扉に固定された第１筒状部材及び第２筒状部材を有し、該第１および第２筒状部材は該減圧用扉が閉扉位置から所定角度回動されると相互に係合して、該減圧用扉が更に回動するのを阻止するようにされている請求項４又は５に記載の常開防火扉。
【発明の詳細な説明】
【技術分野】
【０００１】
本発明は、平常時には壁に設けられた戸袋に収納され、出火時に該戸袋から解放されて閉扉する常開防火扉に関する。
【背景技術】
【０００２】
常開防火扉は、出火時の煙や熱に反応して戸袋から解放され、いわゆる（ドア）クローザによって閉扉位置まで枢動され、出火側とそうでない側とを遮断して火炎や煙が建物内で広がるのを阻止する。クローザによる防火扉の閉扉動作は、最初は大きな速度で回動し閉扉位置に近づくと制動機能が働き次第に減速されて閉扉位置に至る。しかし、出火の状況によっては、出火による空気膨張のために防火扉が閉扉すべき開口部を通って急激な空気の流れが生じ、その風圧により閉扉しようとしている防火扉の動きが妨げられ、ときには閉扉できない状態になることがある。すなわち、防火扉の表面側及び裏面側にかかる圧力差により、クローザの付勢力では閉扉できなくなる状況が生じ得るのである。
【０００３】
火災発生時における防火扉の表面及び裏面にかかる圧力差によるその種の問題は従来から指摘され、その解決が図られてきた。たとえば、平常時から閉扉状態にされる常閉防火扉では、火災発生時に生じるそのような圧力差により、出火側にいる人が当該防火扉（防火扉が大きい場合にその中に設けられている枢動式の潜り戸（避難用開閉戸））を開くことができなくなり、当該防火扉を通って避難することができなくなるという問題があり、そのような問題を解消するための種々の解決手段が提案されてきている（たとえば、特許文献１、２）。
【先行技術文献】
【特許文献】
【０００４】
【特許文献１】特開平７−２５９４０７公報
【特許文献２】特開２００２−２７２８６６公報
【発明の概要】
【発明が解決しようとする課題】
【０００５】
しかし、常開防火扉、すなわち平常時には戸袋に収納されおり出火時に戸袋から解放されて閉扉する防火扉における上述したごとき風圧（圧力差）により閉扉が妨げられてしまうという問題を解消する技術はこれまで提示されていない。
【０００６】
本発明は、常開防火扉におけるこのような問題を解消することを目的とする。
【課題を解決するための手段】
【０００７】
本発明は、
火災発生時に、一側縁に沿って垂直方向に延びる第１軸線を中心に枢動して閉扉する常開防火扉であって、
該防火扉の表面から裏面に貫通する減圧用開口と、
該減圧用開口を閉じるように取り付けられ、該第１軸線に略平行に延びる第２軸線の周りで回動して該減圧用開口を開放可能とされている減圧用扉と、
該減圧用扉を、該第２軸線の周りで付勢して該減圧用開口を閉じる閉扉位置とする減圧用扉クローザと、
を有しており、
該第２軸線は、出火時に該常開防火扉が該第１軸線を中心に枢動して閉扉するときに該閉扉の動きに伴い該減圧用扉に生じる該第２軸線の周りでの所定値以上の回転モーメントにより該減圧用扉が該減圧用扉クローザの付勢力に抗して回動し該減圧用開口を開放する位置とされている常開防火扉を提供する。
【０００８】
常開防火扉は、出火時に第１軸線の周りで閉扉方向に回動される。従って、閉扉方向に向かう扉表面は、第１軸線の近くでは回動速度遅く、第１軸線から遠くなるほど回動速度は速くなる。このため、扉表面には概ねその速度差の二乗に比例する風圧がかかることになる。従って、第２軸線を適宜の位置にすることにより減圧用扉には減圧用扉クローザに抗する回転モーメントが作用し、減圧用扉が回動して減圧用開口が開かれるようにすることができる。常開防火扉が閉扉位置となり第１軸線周りでの回動がなくなると、上述の速度差はなくなり、上述の回転モーメントはなくなるので減圧用扉は減圧用扉クローザにより減圧用扉は閉扉される。
【０００９】
具体的には、該第２軸線は該減圧用扉の幅方向の中央位置とすることができる。
【００１０】
このようにすることにより、常開防火扉が閉扉位置となった状態（従って、上述した速度差がなくなった状態）で当該常開防火扉及び減圧用扉の表裏面に圧力がかかったとしても、減圧用扉の第２軸線の左右の側にかかる圧力による回転モーメントは相互に相殺するように作用するので、減圧用扉クローザの付勢力を余り大きくすることなく減圧用扉を閉扉状態に保持するのを可能とする。
【００１１】
しかし場合によっては、該第２軸線が該減圧用扉の幅方向中央位置よりも該第１軸線から離れた位置とすることができる。常開防火扉が閉扉位置となり、減圧用扉が閉扉位置となった状態で、常開防火扉の閉扉方向に向いた面に圧力が加わった場合、その圧力により減圧用扉にかかる第２軸線の周りでの回転モーメントは減圧用クローザの付勢力方向となるので、減圧用扉をより確実に閉扉位置に保持することができる。
【００１２】
また、該減圧用扉の上縁及び下縁と該減圧用開口の対応する上縁及び下縁との間に該第２軸線に沿って延びるヒンジピンを有し、該ヒンジピンの周りでの該減圧用扉の回動を可能とする上部ヒンジ装置及び下部ヒンジ装置を有するようにすることができる。
【００１３】
この場合、該減圧用扉クローザは該ヒンジピンの周りに同軸状に設定されて該減圧用扉の開扉動作に伴って巻き締められるようになされたコイルバネを有するようにすることができる。
【００１４】
該上部ヒンジ装置および該下部ヒンジ装置の少なくとも一方は、該第２軸線に沿って上下関係で配置されて該ヒンジピンを収納し、それぞれ該常開防火扉及び該減圧用扉に固定された第１筒状部材及び第２筒状部材を有し、該第１および第２筒状部材は該減圧用扉が閉扉位置から所定角度回動されると相互に係合して、該減圧用扉が更に回動するのを阻止するようにすることができる。
【００１５】
以下、本発明に係る常開防火扉の実施形態を添付図面に基づき説明する。
【図面の簡単な説明】
【００１６】
【図１】図１は、本発明の一実施形態に係る常開防火扉が建物内部の壁面に設けられた戸袋内に収納されている状態を示す図である。
【図２】図２は、図１の常開防火扉が戸袋から解放されて閉扉位置に回動するときの当該常開防火扉内に設けられている減圧用扉の動きを示すための図である。
【図３】図３は図１の減圧用扉の上縁の中央位置に設けられて、該減圧用扉を常開防火扉に回動可能にするための上部ヒンジ装置を示す図である。
【図４】図４は図３の上部ヒンジ装置における回動制限手段を説明するための図である。
【発明を実施するための形態】
【００１７】
図１に示すように、本発明に係る常開防火扉１０は、平常時においては廊下などの壁面Ｗに設けられた戸袋（正面視で防火扉１０と同形の矩形状とされた凹部）Ａ内に収納されており、火災発生時に火炎や煙が検知されることに応答して戸袋Ａから解放されてドアクローザＢ(図２)によって、常開防火扉１０の一側に沿って垂直方向に延びる第１軸線Ｃの周りで閉扉位置（図１において水平に示された戸袋Ａ内の位置から９０度回動して垂直に示された位置）まで枢動され（図２）、出火側Ｆとそうでない側Ｎとの間を閉じて火炎や煙が建物内で広がるのを阻止するようにされるものである。ドアクローザＢは、戸袋Ａから解放された常開防火扉１０を最初は大きな速度で回動し閉扉位置に近づくと制動機能が働き次第に減速された状態で閉扉位置まで動かすようになっている。常開防火扉１０は、出火初期での火炎や煙が激しくなる前に閉扉されることが好ましいが、場合によっては、閉扉動作の途中で、出火による空気膨張のための急激な空気の流れを受けて閉扉動作が妨げられ、ときには閉扉できない状態になることがある。
【００１８】
防火のためにはそのような状態にも対応できるようにしておくことが必要であり、このため、常開防火扉１０では、その表面（閉扉方向に向かう面）側から裏面側に貫通する減圧用開口１２及びこの減圧用開口１２を開放可能に閉じる減圧用扉１４を備えている。
【００１９】
図示の例では、減圧用扉１４は、第１軸線Ｃに平行に延びる第２軸線Ｄの周りで回動して減圧用開口１２を開放するようになっており、具体的には減圧用扉１４の上縁１６及び下縁１８の略中央位置で第２軸線Ｄに沿って設けられた上部ヒンジ装置２０、下部ヒンジ装置２２によって常開防火扉１０に対して回動可能とされている。
【００２０】
上部ヒンジ装置２０は、図１及び図３に示すように、減圧用扉１４の上縁１６の中央位置に埋め込まれ固定された下部筒状部材２４と、第２軸線Ｄに沿って下部筒状部材２４に整合されて減圧用開口１２の上縁２６に埋め込まれた上部筒状部材２８と、下部筒状部材２４に固定されて第２軸線Ｄに沿って上部筒状部材２８内まで延びるヒンジピン３０と、該ヒンジピン３０の周りに設定されたコイルバネ３１とを有し、下部筒状部材２４と上部筒状部材２８とはヒンジピン３０を中心に相対的に回転可能としている。下部ヒンジ装置２２は、上部ヒンジ装置２０と同一構造とすることができる。
【００２１】
コイルバネ３１は、減圧用扉１４を閉扉位置に付勢するよう（図２、図４で見て反時計方向）Ｅ方向に作用し、減圧用扉１４が図２に示すように時計方向で開扉動作を行うと巻き締められるようにされており、減圧用扉１４のクローザを構成している。図３及び図４から分かるように、上部ヒンジ装置２０の下部筒状部材２４の上縁には略半円形の突出係合部３２が設けられ、上部筒状部材２８の下縁には同様に略半円形の突出係合部３４が設けられ、該突出係合部３２，３４の両端部が周方向で相互に対向するように配置されている。図４は、上記コイルバネ（減圧用扉クローザ）３１の付勢力により、減圧用扉１４が減圧用開口１２を閉扉する位置に付勢されている状態を示しており、この状態では突出係合部３２、３４は図で見て下方位置にある端部３２ａ，３４ａで相互に係合しており、下部筒状部材２４（従って減圧用扉１４）は上部筒状部材２８（従って常開防火扉１０）に対する相対的回動が阻止されている。図４に示すように下部筒状部材２４の突出係合部３２は第２軸線Ｄの周りで略１８０度の範囲で円弧状に延びているのに対して、上部筒状部材２８の突出係合部３４は略１７０度の範囲で円弧状に延びており、突出係合部３２，３４の図で見て上方位置にある端部３２ｂ、３４ｂの間には約１０度の隙間が開いている。従って、この実施形態では、減圧用扉１４は閉扉位置から約１０度だけの回動が許容される。これは不要に減圧用扉１４が開かないようにするものであり、その角度は必要に応じ適宜設定される。減圧用扉１４が減圧用開口１２を閉じる閉扉位置まで回動した状態では、上述のように、ヒンジ装置２０における突出係合部３２の端部３２aと突出係合部３４の端部３４aが係合して更なる回動を阻止しているが、図示の実施形態では、図２に示すように、減圧用扉１４の両側縁に沿って第１及び第２突条部１４ａ，１４ｂが設けられており、減圧用扉１４が閉扉位置まで回動したときに減圧用開口１２の両側縁に沿って形成された対応する細長い第１及び第２凹部１２ａ，１２ｂに係合して更なる回動の阻止を補助する共に出火側Ｆからの火炎や煙が出火側でない側Ｎに入らないようにしている。
【００２２】
常開防火扉１０が戸袋Ａに収納されている状態で、出火が検知されてそれに応じて戸袋Ａから解放されると、常開防火扉１０はドアクローザＢによって閉扉動作に入るが、閉扉動作の始めにおいては急激に加速され大きな速度で閉扉が行われ、閉扉位置に近づくとドアクローザＢにある制動機能により次第に減速された状態で閉止位置に動かされる。この閉扉動作において、閉扉方向に向かう常開防火扉１０の表面は、第１軸線Ｃの近くでは回動速度遅く、第１軸線Ｃから遠くなるほど回動速度は速くなり、このため、扉表面には第１軸線Ｃからの距離に応じた速度差の概ね二乗に比例する圧力分布の風圧がかかることになる。従って、第２軸線Ｄを適宜の位置にすることにより減圧用扉１４には減圧用扉クローザ３１に抗する回転モーメントが作用し、減圧用扉１４が回動して減圧用開口１２が開かれるようにすることができる。常開防火扉１０が閉扉位置となり第１軸線Ｃの周りでの回動がなくなると、上述の速度差はなくなり回転モーメントはなくなるので減圧用扉１４はコイルバネ（減圧用扉クローザ）３１により閉扉される。
【００２３】
本発明に係る常開防火用扉の一実施形態につき説明したが、本発明はこれに限定されるものではない。例えば、第２軸線Ｄは減圧用扉１４の幅方向中央ではなく第１軸線Ｃに近い位置としたり遠い位置としたりすることができる。それぞれ常開防火扉が閉止するときに受ける風圧が同じであっても、第２軸線Ｄの設定位置によりその周りに生じる回転モーメントが異なってくるので、コイルバネ（減圧用扉クローザ）の付勢力等を考慮して適宜設定することになる。
【符号の説明】
【００２４】
戸袋Ａ
ドアクローザＢ
第１軸線Ｃ
第２軸線Ｄ
常開防火扉１０
減圧用開口１２
第１凹部１２ａ
第２凹部１２ｂ
減圧用扉１４
第１突条部１４ａ
第２突条部１４ｂ
上縁１６
下縁１８
上部ヒンジ装置２０
下部ヒンジ装置２２
下部筒状部材２４（第２筒状部材）
上縁２６
上部筒状部材２８（第１筒状部材）
ヒンジピン３０
コイルバネ（減圧用扉クローザ）３１
突出係合部３２、３４
端部３２ａ，３２ｂ，３４ａ,３４ｂ
【図１】
2018007889.tif 000003
【図２】
2018007889.tif 000004
【図３】
2018007889.tif 000005
【図４】
2018007889.tif 000006